(57)【要約】【課題】一つの鍵に一つの発音体が対応している鍵盤式打楽器において、弱音での演奏性を良くする。【解決手段】演奏者がソフトペダル１２Ｂを踏むと、アーム部１１０ａがペダル連結棒１３Ｂにより持ち上げられてリフティングアーム１００が回動し、キャプスタンスクリュー１１１が貫通穴１５ｂ内に挿入される。これにより、キャプスタンスクリュー１１１が突出部１３１を上方に押し上げ、リフティングバー１３０がバックフェルト１４０とともに全ての鍵の後端部を上方に押し上げる。鍵の後端部が押し上げられると、ハンマフェルト２４の待機位置が発音体３０に近づく。ハンマフェルト２４の待機位置が発音体３０に近づくと、鍵を押す力に対してハンマフェルト２４の加速が減るため、ソフトペダル１２Ｂを踏んでいない状態と比較して、発音体３０が打撃されたときに生じる音の音量が小さくなる。【選択図】図１４
2008170699.tif 000002
【特許請求の範囲】
【請求項１】
複数の鍵と、
前記複数の鍵毎に各鍵に対応して配置され、打撃により固有の音高の音を発する発音体と、
複数の前記鍵毎に各鍵に対応して配置され、対応する鍵の動きに応じて該鍵に対応する前記発音体を打撃するハンマを備えたアクション機構と、
ペダルと、
前記鍵の待機時における前記ハンマの位置を、前記ペダルの動きに応じて変化させる待機位置調整部と
を有する鍵盤式打楽器。
【請求項２】
前記鍵は支点で指示され、該支点を中心にして回動し、
前記ハンマは、前記鍵の回動に伴って前記発音体を打撃し、
前記待機位置調整部は、前記待機時のハンマの位置を前記ペダルの動きに応じて移動させること
を特徴とする請求項１に記載の鍵盤式打楽器。
【請求項３】
前記ペダルの動きに応じて変化した前記待機時のハンマの位置は、前記ペダルの所定方向への操作により固定されることを特徴とする請求項１に記載の鍵盤式打楽器。
【請求項４】
前記複数の鍵と前記鍵毎に各鍵に対応したアクション機構は筬に支持されてユニット化されていることを特徴とする請求項１乃至３のいずれかに記載の鍵盤式打楽器。
【発明の詳細な説明】
【技術分野】
【０００１】
本発明は、発音体を打撃することにより発音する打楽器に関する。
【背景技術】
【０００２】
複数の鍵、各鍵に対応するハンマアクション、各ハンマアクションにより打撃される短冊状の音板（発音体）、および音板の上に配置され音板が発した音を共鳴させる共鳴箱を備えた鍵盤式音板打楽器が知られている（例えば、特許文献１参照）。特許文献１に開示されている鍵盤式音板打楽器においては、ハンマアクションは、グランドピアノにおいて用いられているハンマアクションと同様のハンマアクションであり、演奏者が鍵を押鍵するとハンマアクションが動作して音板を打撃し、音板が振動して音板固有の音高の楽音が発生する。
【０００３】
【特許文献１】実開平０５−０８１８９５号公報
【発明の開示】
【発明が解決しようとする課題】
【０００４】
さて、特許文献１に開示されているハンマアクションと同様のハンマアクションを備えたグランドピアノの場合、弱音を容易に出せるようにするためにソフトペダルが設けられている。グランドピアノにおいては、一つに鍵に対して複数の弦が設けられており、演奏者が鍵を押すと複数の弦がハンマにより打撃されるが、演奏者がソフトペダルを踏むとハンマと弦の位置関係が変化し、ハンマにより打弦される弦の数が少なくなって放音される音量が小さくなる。
【０００５】
特許文献１に開示されている鍵盤式音板打楽器もグランドピアノと同様のハンマアクションを備えるものの、一つの鍵に対して打撃される音板は一つであるため、打撃される音板の数を少なくして音量を小さくするという構成を採用することができない。そのため、特許文献１に開示されている鍵盤式音板打楽器においては、演奏者は弱音を出そうとする場合には鍵を押すときの力加減を微妙に調節しなければならず弱音での演奏が難しい。
【０００６】
本発明は、上述した背景の下になされたものであり、その目的は、一つの鍵に一つの発音体が対応している鍵盤式打楽器において、弱音での演奏性を良くすることにある。
【課題を解決するための手段】
【０００７】
上述した課題を解決するために本発明は、複数の鍵と、前記複数の鍵毎に各鍵に対応して配置され、打撃により固有の音高の音を発する発音体と、複数の前記鍵毎に各鍵に対応して配置され、対応する鍵の動きに応じて該鍵に対応する前記発音体を打撃するハンマを備えたアクション機構と、ペダルと、前記鍵の待機時における前記ハンマの位置を、前記ペダルの動きに応じて変化させる待機位置調整部とを有する鍵盤式打楽器を提供する。
【０００８】
好ましい態様において、前記鍵は支点で指示され、該支点を中心にして回動し、前記ハンマは、前記鍵の回動に伴って前記発音体を打撃し、前記待機位置調整部は、前記待機時のハンマの位置を前記ペダルの動きに応じて移動させてもよい。
また、別の好ましい態様において、前記ペダルの動きに応じて変化した前記待機時のハンマの位置は、前記ペダルの所定方向への操作により固定されてもよい。
また、別の好ましい態様において、前記複数の鍵と前記鍵毎に各鍵に対応したアクション機構は筬に支持されてユニット化されていてもよい。
【発明の効果】
【０００９】
本発明によれば、一つの鍵に一つの発音体が対応している鍵盤式打楽器であって本発明の構成を有しない鍵盤式打楽器と比較して、弱音での演奏性が良いものとなる。
【発明を実施するための最良の形態】
【００１０】
［実施形態］
以下、図面を参照して本発明の実施の形態に係る鍵盤式打楽器について説明する。図１（ａ）は本発明の実施形態に係る鍵盤式打楽器１０の背面図、図１（ｂ）は鍵盤式打楽器１０の左側面図、図１（ｃ）は鍵盤式打楽器１０の正面図、図１（ｄ）は鍵盤式打楽器１０の右側面図である。以下の説明においては、鍵盤式打楽器１０の演奏者側を前方、演奏者側と反対の方向を後方と称し、演奏者から鍵盤式打楽器１０を見て右側を右方向、演奏者から見て左側を左方向と称する。
【００１１】
（鍵盤式打楽器１０の概要）
まず、この鍵盤式打楽器１０の概要について説明する。この鍵盤式打楽器１０は金属製の発音体を打撃して発音体を振動させることにより音を発生する楽器であり、図に示したように、複数の白鍵及び黒鍵を有する鍵盤ＫＢ、演奏者の足で操作されるダンパペダル１２Ａとソフトペダル１２Ｂ、ダンパペダル１２Ａの動きに応じてペダル連結棒１３Ａを上下させる機構、およびソフトペダル１２Ｂの動きに応じてペダル連結棒１３Ｂを上下させる機構を内部に備えたペダルボックス１１とを備えている。
この鍵盤式打楽器１０においては、演奏者により鍵盤ＫＢの鍵が下方に押されると、各鍵に対応して内部に配置されている発音体が打撃されて音が発生する。ダンパペダル１２Ａは発音体の振動を制御するためのペダルである。演奏者がダンパペダル１２Ａを踏むと、演奏者が鍵から指を離しても発音体の振動が抑えられることがなく、ダンパペダル１２Ａが踏まれていない状態と比較して、発音体が打撃されたときの音の発音時間が長くなる。
また、ソフトペダル１２Ｂは、発音体から発生する音の音量を制御するためのペダルである。演奏者が鍵を押す力加減が同じであった場合、演奏者がソフトペダル１２Ｂを踏んでいると、ソフトペダル１２Ｂが踏まれていない状態と比較して、発音体が打撃されたときに発生する音の音量が小さくなる。なお、本実施形態においては、ソフトペダル１２Ｂの上下に応じてペダル連結棒１３Ｂを上下させる機構は、グランドピアノにおけるソフトペダルの機構と同じとなっており、踏み込んだペダルを左右いずれかにずらすと、ペダルを踏み込んだままの状態を維持することができ、ペダル連結棒１３Ｂを上に移動させたままにすることができる。
【００１２】
（鍵盤式打楽器１０の内部構成）
次に、鍵盤式打楽器１０の内部構成について説明する。図２は鍵盤式打楽器１０の内部の概略図、図３は鍵盤式打楽器１０の上部の内部を前方から見た図、図４は鍵盤式打楽器１０の内部の平面図である。また、図５は音源ユニットＵＮＴの正面図、図６は図５のＡ−Ａ線断面図、図７は音源ユニットＵ１の底面図である。図に示したように、鍵盤式打楽器１０内の上部には、鍵盤ＫＢの各鍵に対応して設けられて音を発生する発音体３０と、発音体３０で発生した音を共鳴させる共鳴箱５０とを有する音源ユニットＵＮＴが配置されている。
また、鍵盤式打楽器１０の内部においては、発音体３０を打撃するハンマフェルト２４を備えたアクション機構２０、発音体３０の振動を制御するダンパ機構Ｄ、ペダル連結棒１３Ｂの動きに対応して鍵の後端部を上下させるための複数の部材が音源ユニットＵＮＴより下方に配置されている。
【００１３】
（音源ユニットＵＮＴの構成）
まず、音源ユニットＵＮＴの構成について説明する。図５に示したように、音源ユニットＵＮＴは、鍵盤ＫＢの各鍵に対応して設けられている複数の発音体３０と、発音体３０を打撃することにより生じた音を共鳴させる共鳴箱５０を有している。そして、音源ユニットＵＮＴにおいては、共鳴箱５０の両端部の下面が、右側板１８Ｒから鍵盤式打楽器１０の内部へ突出した支持部２９Ｒと左側板１８Ｌから鍵盤式打楽器１０の内部へ突出した支持部２９Ｌにより支持されている。本実施形態においては、鍵盤ＫＢの鍵が並ぶ方向に沿って音高順に発音体３０が共鳴箱５０の下方に配置されており、演奏者から見て左端にある発音体３０の発する音が一番音高が低く、右端にある発音体３０の発する音が一番音高が高くなるように発音体３０が配置されている。なお、本実施形態においては、発音体３０は上下二段ではなく一段に配置されており、各発音体３０を打撃するアクション機構２０も鍵盤ＫＢの鍵が並ぶ方向に沿って一段に並べられている。
【００１４】
（発音体３０の構成）
発音体３０は、アルミニウムで形成されている。なお、発音体３０の材質は、アルミニウムに限定されるものではなく、例えば、アルミニウム合金、または鋼など他の金属で形成されていてもよい。各鍵に対応して設けられている複数の発音体３０は、その長さ、幅および形状が各々異なっており、打撃されて振動すると、その振動の態様が各々異なり、各発音体固有の音高の音が生じる。
【００１５】
具体的には、複数の発音体３０は、図７に示したように高音域に属する発音体群３０Ａ、中音域に属する発音体群３０Ｂ、低音域に属する発音体群３０Ｃに大別される。発音体群３０Ａに属する発音体３０は長手方向（前後方向）の長さが短く、発音体群３０Ｂ、発音体群３０Ａとなるにつれて発音体３０の長手方向長さが長くなっている。また、発音体群３０Ｃに属する発音体は幅が広く、発音体群３０Ａに属する発音体３０は発音体群３０Ｃに属する発音体と比較してその幅が狭くなっている。なお、同じ音域部に属する発音体はどの発音体３０も幅は同じとなっている。
【００１６】
図８（ａ）は発音体群３０Ｃに属する発音体３０（低音域に属する発音体）の平面図、図８（ｂ）は図８（ａ）に示した発音体３０の右側面図である。発音体３０の下面（ハンマフェルト２４により打撃される面）は平坦であり、発音体３０の前端部３２および後端部３３は腹部３１（長手方向中央部であって振動の際に腹に相当する部分）より厚くなっている。また、腹部３１と前端部３２との間は腹部３１よりも薄い第１肉薄部３４となっており、腹部３１と後端部３３との間は腹部３１よりも薄い第２肉薄部３５となっている。発音体３０においては、腹部３１の中央が振動時の腹の中心に相当する位置（以下、「腹中心３１Ｐ」と称する）となる。
【００１７】
なお、図９（ｃ）は発音体群３０Ａに属する発音体３０、図９（ｄ）は発音体群３０Ｂに属する発音体３０、図９（ｅ）は発音体群３０Ｃに属する発音体３０の側面図であるが、図に示したように発音体群３０Ａおよび発音体群３０Ｂに属する発音体３０は、前端部３２と後端部３３に相当する部分の厚さが、発音体群３０Ｃに属する発音体３０と比較して薄くなっている。また、発音体群３０Ａに属する発音体３０には、第１肉薄部３４と第２肉薄部３５に相当する部分が設けられていない。
【００１８】
また、図に示したように発音体３０においては、長手方向中央部よりも端部よりであって、振動における節となる位置に発音体３０を貫通する支持穴３６，３７が形成されている。発音体３０は、支持穴３６，３７を支持して振動させたときに効率よく発音する。なお、図に示したように支持穴３６，３７はいずれも発音体３０の幅方向に平行ではなく、幅方向に対して斜めに貫通している。
【００１９】
（共鳴箱５０の構成）
次に発音体３０から生じた音を共鳴させる共鳴箱５０の構成について説明する。共鳴箱５０は下面が開口した箱であり、前面となる前側共通壁５１、後面となる後側共通壁５２、左側面となる側壁５９Ａ、右側面となる側壁５９Ｂ、上面を塞ぐ蓋部材５６、蓋部材５７、蓋部材５８を有し、図５に示したように、低音域部５０Ａ、中音域部５０Ｂ、高音域部５０Ｃに大別される。低音域部５０Ａは、低音域部５０Ａの下方に配置される発音体３０に対応して発音体３０と同数のヘルムホルツ型の共鳴室ＲＭ１を有している。また、中音域部５０Ｂは、中音域部５０Ｂの下方に配置される発音体３０に対応して発音体３０と同数の閉管型の共鳴室ＲＭ２を有している。高音域部５０Ｃは一括式共鳴箱となっており、高音域部５０Ｃの下方に配置される複数の発音体３０に共通となる一つの共鳴室ＲＭ３を有している。
【００２０】
前側共通壁５１と後側共通壁５２は、板状の部材であり、図５に示したように、低音域部５０Ａに対応する部分と、高音域部５０Ｃに対応する部分は矩形、中音域部５０Ｂに対応する部分は台形形状となっている。そして、各共通壁の低音域部５０Ａの上下方向の高さは高音域部５０Ｃの高さより高くなっており、また、中音域部５０Ｂに対応する部分においては、低音域部５０Ａ側の上下方向の高さが高音域部５０Ｃ側の高さより高くなっている。また、向かい合わされて配置されている前側共通壁５１と後側共通壁５２との間隔は、図６に示したように右側（高音域の発音体３０が配置される側）が狭く、左側（低音域の発音体３０が配置される側）にいくにつれて間隔が広くなっている。
【００２１】
また、前側共通壁５１と後側共通壁５２との間は、低音域部５０Ａと中音域部５０Ｂにおいては、図６に示したように複数の仕切板５３で仕切られている。仕切板５３は平板であり、仕切板５３同士は前後方向で平行となるように、前側共通壁５１と後側共通壁５２との間に垂直に固着されている。なお、隣接する仕切板５３同士の間隔は、下方に配置される発音体３０の２つ分の幅よりやや広くなっている。低音域部５０Ａにおいては、発音体３０の幅が中音域部５０Ｂの下方にある発音体３０とは異なることに起因して、仕切板５３同士の間隔が中音域部５０Ｂより広くなっている。
【００２２】
高音域部５０Ｃにおいては、中音域部５０Ｂと高音域部５０Ｃとを仕切る仕切板５３、前側共通壁５１、後側共通壁５２、高音域部５０Ｃの上部を塞ぐ蓋部材５８により、共鳴室ＲＭ３が形成されている。蓋部材５８は、図４に示したように台形形状の板状の部材である。蓋部材５８は、図５に示したように、中音域部５０Ｂ側から右下方向へ傾斜して前側共通壁５１、後側共通壁５２、および側壁５９Ｂに固着されている。
【００２３】
中音域部５０Ｂにおいては、隣接する仕切板５３同士の間の空間が斜め板５５によって仕切られている。斜め板５５は平板であり、上方から見たときに仕切板５３に対しては斜めになるように、仕切板５３の前後方向中央部に垂直に固着され、仕切板５３同士の間の空間に２つの共鳴室ＲＭ２を形成している。そして、中音域部５０Ｂにおいては、仕切板５３同士の間の空間毎に、各空間の上部を塞ぐ蓋部材５７が、仕切板５３の上部、前側共通壁５１、後側共通壁５２に固着されて空間上部を塞いでいる。
【００２４】
図１０は、図６に示した中音域部５０Ｂの部分拡大図である。図１０においては、仕切板５３の間に形成されている２つの共鳴室ＲＭ２を区別するために、一方の共鳴室ＲＭ２に（１）という符号を付し、もう一方の共鳴室ＲＭ２に（２）という符号を付している。共鳴室ＲＭ２（１）と共鳴室ＲＭ２（２）のうち、前方側が共鳴室ＲＭ２（１）、後方側が共鳴室ＲＭ２（２）である。また、発音体３０においても、共鳴室ＲＭ２（１）の下方にある発音体３０に（１）、共鳴室ＲＭ２（２）の下方にある発音体３０に（２）という符号を付している。また、仕切板５３においては、共鳴室ＲＭ２を形成する２つの仕切板５３を区別するために、共鳴室ＲＭ２を形成する一方の仕切板５３に（１）、共鳴室ＲＭ２を形成するもう一方の仕切板５３に（２）という符号を付している。
【００２５】
また、図１０においては、発音体３０を打撃したときのハンマフェルト２４の位置が点線で示されている。ハンマフェルト２４が発音体３０を打撃したとき、ハンマフェルト２４の前後及び左右方向の中心位置は、対応する発音体３０の腹中心３１Ｐの位置と一致する。また、全ての発音体３０の腹中心３１Ｐは、全ての共鳴室ＲＭ１〜ＲＭ３の領域を通る仮想の直線Ｌ１上に位置し、全ての発音体３０の腹中心３１Ｐは前後方向の位置が同じとなっている。そして、発音体３０（１）の腹中心３１Ｐは、共鳴室ＲＭ２（１）の下方に位置し、発音体３０（２）の腹中心３１Ｐは、共鳴室ＲＭ２（２）の下方に位置する。このように、一の発音体３０の腹中心３１Ｐは、対応する一の共鳴室の下方に位置するため、ハンマフェルト２４で打撃された発音体３０（１）の音は、対応する共鳴室ＲＭ２（１）で共鳴し、発音体３０（２）の音は、対応する共鳴室ＲＭ２（２）で共鳴する。
【００２６】
本実施形態においては、一つの発音体３０に対応する共鳴室の幅は、ほぼ発音体３０の２つ分の幅となっており、発音体３０に対して広い幅が確保されているため良好な共鳴が実現される。また、このように、一つの発音体３０に対しては広い幅を確保しているが、２つの共鳴室を確保するためには２つ分の発音体３０の幅しか必要としていないため、共鳴箱５０の左右方向の幅を抑えることができ、発音体３０を一段に並べることができる。
【００２７】
また、低音域部５０Ａにおいても、隣接する仕切板５３同士の間の空間が斜め板５４によって仕切られており、中音域部５０Ｂと同様の構成となっている。斜め板５４も平板であり、上方から見たときに仕切板５３に対しては斜めになるように、仕切板５３の前後方向中央部に垂直に固着され、仕切板５３同士の間の空間に２つの共鳴室ＲＭ１を形成している。なお、低音域部５０Ａにおいては、仕切板５３同士の間隔が中音域部５０Ｂと異なることに起因して、仕切板５３に対する斜め板５４の角度が、仕切板５３に対する斜め板５５の角度と異なっている。また、低音域部５０Ａは、共鳴室ＲＭ１の下部において、前側共通壁５１側と、後側共通壁５２側とにポート形成部材６０を有している。ポート形成部材６０は平板であり、前側に配置されるポート形成部材６０は、前側共通壁５１と共鳴室ＲＭ１の両脇の仕切板５３とに水平に固着され、また、後側に配置されるポート形成部材６０は、後側共通壁５２と共鳴室ＲＭ１の両脇の仕切板５３とに水平に固着されている。
【００２８】
各共鳴室ＲＭ１においては、両脇の仕切板５３、斜め板５４、およびポート形成部材６０によって、開口部にポートが形成される。一般に、ヘルムホルツ型の共鳴箱においては、箱の容量だけでなく、ポートの長さ及び断面積が共鳴する音高に影響する。例えば、同じ容量の共鳴箱であっても、ポートの長さを長くするかあるいは断面積を狭くすると、共鳴する音高が低くなる。本実施形態においても、共鳴室ＲＭ１に対応する発音体３０の音が良好に共鳴するように、ポート形成部材６０の形状を調整して各共鳴室ＲＭ１のポートの長さ及び断面積を設定している。
【００２９】
（発音体３０の配置方法）
次に、発音体３０を共鳴箱５０の下方に配置する構成について説明する。図１１は発音体３０を共鳴箱５０の下方で支持する支持紐４４の外観図である。支持紐４４は、芯糸４４Ａと、芯糸４４Ａの回りに巻き付けられている紐４４Ｂで構成されており、断面は略円形となっている。芯糸４４Ａはナイロン製であり、糸状の部材である。紐４４Ｂは、表面がスエード調の人工皮革であり、極細の繊維が絡合した紐状の不織布で構成されている。紐４４Ｂは芯糸４４Ａを覆うように隙間無く編まれて芯糸４４Ａを覆っている。
【００３０】
複数の発音体３０を共鳴箱５０の下方に配置する際には、まず、複数の発音体３０を支持紐４４で一つにまとめる。具体的には、まず発音体３０を左右方向に音高順に並べる。ここでは、左端に最も低い音を発する発音体３０を並べ、右端に最も高い音を発する発音体３０を並べる。
次に、左端に並べられた発音体３０の左方から支持紐４４を前側の支持穴３６に通す。一つの発音体３０の支持穴３６を通し終えたら、右隣に並べられている発音体３０の支持穴３６に支持紐４４を通す。このように、音高順に並べられた発音体３０の各支持穴３６に支持紐４４を順次通していく。
並べられた発音体３０の全ての支持穴３６に支持紐４４を通し終えたら、次に、右端に並べられた発音体３０の右方から支持紐４４を後側の支持穴３７に通す。一つの発音体３０の支持穴３７を通し終えたら、左隣に並べられている発音体３０の支持穴３７に支持紐４４を通、音高順に並べられた発音体３０の各支持穴３７に支持紐４４を順次通していく。
並べられた発音体３０の全ての支持穴３６と支持穴３７に支持紐４４を通し終えたら、支持紐４４の両端を結ぶ。支持紐４４の両端を結ぶことにより、複数の発音体３０は、音高順にまとめられる。
【００３１】
（留め具４０）
次に、共鳴箱５０の下方で支持紐４４を支え持つ複数の留め具４０を共鳴箱５０に装着する。図９（ａ）は留め具４０の側面図であり、図９（ｂ）は留め具４０の部分拡大図である。留め具４０は金属で形成されており、支持紐４４を支え持つひも受け部４３と、支持紐４４をひも受け部４３に挿入する際に支持紐４４が通る溝４２と、共鳴箱５０に打ち込まれるピン部４１を有している。ひも受け部４３の形状は、支持紐４４の直径とほぼ同じ内径を有する円形となっている。また溝４２の幅は、支持紐４４の直径よりやや小さくなっている。このため、ひも受け部４３に通された支持紐４４は、留め具４０から容易に脱落することがない。
【００３２】
留め具４０のピン部４１は、共鳴箱５０の前側共通壁５１および後側共通壁５２に打ち込まれる。なお、各留め具４０は、前側共通壁５１においては、溝４２の開口部が前方を向くように打ち込まれ、後側共通壁５２においては、溝４２の開口部が後方を向くように打ち込まれる。各ピン部４１が打ち込まれる位置の間隔は発音体３０の幅より広くなっており、例えば、共鳴箱５０の中音域部５０Ｂにおいては、図１０に示したように、仕切板５３の延長線上と、斜め板５５と仮想の直線Ｌ１との交点において直線Ｌ１と前後方向に直角に交わる垂線の延長線上に打ち込まれる。また、共鳴箱５０の低音域部５０Ａにおいても、ピン部４１が打ち込まれる位置は中音域部５０Ｂと同様の位置となっている。また、高音域部５０Ｃにおいては、ピン部４１は、発音体３０の幅よりやや広い間隔を空けて各共通壁に打ち込まれる。
【００３３】
複数の留め具４０の打ち込みが終了すると、共鳴箱５０の下面を上に向け、支持紐４４で一つにまとめられた複数の発音体３０を共鳴箱５０の開口部上に載せる。そして、隣り合う発音体３０の間を広げ、発音体３０同士の間に見える支持紐４４を、溝４２に通してひも受け部４３に掛ける。この際、隣り合う留め具４０の間には一つの発音体３０が位置するように支持紐４４をひも受け部４３に掛けていく。そして、支持紐４４を留め具４０に掛け終えた後、共鳴箱５０の開口部を下方に向ける。
【００３４】
図１２は、図１０のＢ−Ｂ線断面図である。共鳴箱５０の開口部を下方に向けると、図１２に示したように支持紐４４がひも受け部４３で共鳴箱５０の下方に支持される。そして、支持紐４４は各発音体３０の支持穴３６，３７に通されているので、各発音体３０は支持紐４４により吊り下げられた状態で支持され、共鳴箱５０の下方において、開口部に近接して振動可能な状態となる。
【００３５】
（音源ユニットＵＮＴの下方の構成）
次に、音源ユニットＵＮＴの下方にある各部について説明する。図に示したように、鍵盤式打楽器１０の両側面を形成する右側板１８Ｒと左側板１８Ｌとの間には、共鳴箱５０から下方に出た音が通過する３つの放音用穴１４ａを備えた棚板１４が水平に配置されている。棚板１４の上には筬１５が配置されており、筬１５の前方には筬前１６が設けられ、筬前１６の前部を口棒部１７が覆っている。筬１５においては、鍵盤ＫＢが有する複数の白鍵２７及び黒鍵２８の各々に対応して支持部材１９が配置されている。支持部材１９は白鍵２７及び黒鍵２８を支持するための部材であり、バランスピン６２，６３を備えている。鍵盤ＫＢの各鍵は支持部材１９により支持され、各鍵の長手方向端部はバランスピン６２，６３を支点として上下する。
【００３６】
また、筬１５においては、アクション機構２０を支持するアクションブラケット２２が、複数の鍵の各々に対応して配置されている。アクション機構２０は、グランドピアノにおいて弦を打弦するアクション機構と同様の構成であり、鍵盤ＫＢの鍵の動きに対応して支点Ｐ１を中心に時計方向または反時計方向に回動するハンマシャンク２３と、ハンマシャンク２３の先端に設けられ発音体３０を打撃するハンマフェルト２４を有している。
【００３７】
次に、鍵盤式打楽器１０の後方側の構成について説明する。鍵盤式打楽器１０の後方側においては、鍵盤ＫＢの各鍵に対応して棚板１４の上方に回動部材６４が配置されている。回動部材６４には、ダンパフェルト２６を備えたダンパワイヤ２５が取り付けられており、鍵の動きに対応して図２中の支点Ｐ２を中心に時計方向または反時計方向に回動する。なお、図には示していないが、鍵盤式打楽器１０の後方側においては、各鍵に対応して設けられている回動部材６４の全てを、ペダル連結棒１３Ａの上下動に伴って上下させる機構が設けられている。これにより、演奏者がダンパペダル１２Ａを踏んでペダル連結棒１３Ａを上下させると、ペダル連結棒１３Ａの上下動に伴って全ての回動部材６４が回動する。
【００３８】
棚板１４の後方側においては、ペダル連結棒１３Ａの動きに対応して全ての鍵の後端部を上下させるための部材が配置されている。図１３は、棚板１４および筬１５の後方側と、全ての鍵の後端部を上下させる各部材の斜視図である。
図１３に示したように、棚板１４の後方側においては、上方から見たときの形状が凸型の凹部１４Ｂが設けられている。この凹部１４Ｂにおいては、上方から見て前方側に突出している凹部１４Ｂｂの深さが後方側の凹部１４Ｂａの深さより浅くなっている。
また、凹部１４Ｂよりさらに後方側においては、棚板１４の上面から下面へ貫通する貫通穴（図示略）が設けられており、この貫通穴には図１３に示したようにペダル連結棒１３Ｂが挿入される。なお、棚板１４の上面から凹部１４Ｂａの底面での距離は、後述するリフティングアーム１００の上面から下面までの距離より長くなっている。
【００３９】
リフティングアーム１００は、材質が木材であり、底面が矩形で板状の部材である。リフティングアーム１００の上方側には、三つのネジ穴１００ａと、段部１００ｂが設けられている。また、リフティングアーム１００の後方側には、アーム部材１１０が取り付けられている。アーム部材１１０は左右方向に沿ったアーム部１１０ａを有しており、ペダル連結棒１３Ｂに接触する。
キャプスタンスクリュー１１１は、円柱状の部材で下部にネジ山を有しており、ネジ穴１００ａにねじ込められる。キャプスタンスクリュー１１１がネジ穴１００ａにねじ込められると、ネジ山が設けられていない部分がリフティングアーム１００の上面より上方に突出する。
【００４０】
ヒンジ１２０は、リフティングアーム１００を棚板１４に取り付けるためのものであり、芯棒１２２、板状のハネ１２１ａ、および板状のハネ１２１ｂを有している。ハネ１２１ａは棚板１４の凹部１４Ｂｂに図示せぬネジでネジ留めされ、ハネ１２１ｂはリフティングアーム１００の段部１００ｂに図示せぬネジでネジ留めされる。ハネ１２１ａとハネ１２１ｂは、芯棒１２２を中心にして芯棒１２２の周方向に回動するようになっているため、上述したようにヒンジ１２０が各部に取り付けられると、リフティングアーム１００が芯棒１２０ａを中心にして回動する。
【００４１】
リフティングバー１３０は、金属で形成されている柱状の部材である。リフティングバー１３０は、下面に円柱状の３つの突出部１３１を有しており、筬１５に設けられている凹部１５ａに挿入される。なお、リフティングバー１３０の左右方向の長さは、左端にある鍵の後端部から右端にある鍵の後端部までの距離よりやや長くなっている。
【００４２】
筬１５の後方側においては、左右方向に沿った矩形の凹部１５ａが設けられている。凹部１５ａの底面には、筬１５の下面から凹部１５ａに貫通した円形の三つの貫通穴１５ｂが設けられている。各貫通穴１５ｂ同士の間隔は、リフティングバー１３０の各突出部１３１同士の間隔と同じとなっており、リフティングバー１３０が凹部１５ａに挿入されると、突出部１３１が貫通穴１５ｂに嵌り、筬１５の上面とリフティングバー１３０の上面の高さが同じとなり、筬１５の下面と突出部１３１の下面が同じ高さとなる。
【００４３】
バックフェルト１４０は帯状のフェルトであり、左右方向の長さはリフティングバー１３０の左右方向の長さとほぼ同じとなっている。バックフェルト１４０は、凹部１５ａに挿入されたリフティングバー１３０の上に載せられる。なお、図１３においては図示していないが、バックフェルト１４０の上には全ての鍵の後端部が載せられる。
【００４４】
図１４は、図２中の鍵の後端部付近を拡大した図である。図１３に示した各部が組み上げられると、ソフトペダル１２Ｂが踏まれていない状態においては、ペダル連結棒１３Ｂが下がっているため、リフティングアーム１００が下方に下がって凹部１４Ｂａの底面に接している。リフティングアーム１３０が下がっていると、キャプスタンスクリュー１１１は貫通穴１５ｂに入らず突出部１３１に接している状態となる。そして、筬１５の上面側においては、リフティングバー１３０の上面が筬１５の上面から突出せず、リフティングバー１３０の上面と筬１５の上面の高さが同じ高さとなる。
なお、この状態においては、キャプスタンスクリュー１１１が貫通穴１５ｂに入っておらず、筬１５の上面とリフティングバー１３０の上面の高さが同じとなり、筬１５の下面と突出部１３１の下面が同じ高さとなっているため、図１６に示したように筬１５を前方に引き出す場合には、ひっかかりがなく容易に引き出すことができる。そして、筬１５においては鍵盤ＫＢやアクション機構２０が一体化されているため、筬１５と、鍵盤ＫＢおよびアクション機構２０をユニットとして扱うことができ、メンテナンスを容易に行うことができる。
【００４５】
この構成の下、鍵盤ＫＢの鍵が演奏者により下方に押されると、鍵の後方側端部が上に移動し、回動部材６４が図２においては時計回りに回動する。ダンパペダル１２が踏まれておらず鍵盤ＫＢの鍵が押されていない状態においては、ダンパフェルト２６は図２に示したように発音体３０に接触しているが、回動部材６４が時計回りに回動すると回動に伴ってダンパワイヤ２５が上方向へ移動してダンパフェルト２６が発音体３０から離れる。また、鍵が下方に押されると、アクション機構２０が動作してハンマシャンク２３が反時計回りに回動し、ハンマフェルト２４が発音体３０を打撃する。ハンマフェルト２４が発音体３０を打撃する時点では、ダンパフェルト２６が発音体３０から離れているので発音体３０は振動する。
【００４６】
打撃による振動で発音体３０から発せられた音は、共鳴箱５０で共鳴した後、共鳴箱５０から下方に放音される。共鳴箱５０から下方に放音された音は、アクション機構２０の下方にある放音用穴１４ａを通過して棚板１４より下方へ抜ける。
【００４７】
次に、演奏者が鍵から指を離すと、鍵の後方側端部が下に移動し、アクション機構２０が動作してハンマシャンク２３が時計回りに回動してハンマフェルト２４が発音体３０から離れる方向に移動する。そして、鍵の後方側端部の移動に伴って回動部材６４が反時計回りに回動する。回動部材６４が反時計回りに回動すると、回動部材６４の回動に伴ってダンパワイヤ２５が下方向へ移動し、ダンパフェルト２６が発音体３０に接触して発音体３０の振動が抑えられる。
【００４８】
なお、ダンパペダル１２Ａが踏まれるとペダル連結棒１３Ａが上方向に移動し、全ての回動部材が支点Ｐ２を中心にして時計方向に回動して、各鍵に対応した全てのダンパフェルト２６が発音体３０から離れる。ダンパペダル１２が踏まれて回動部材６４が時計回りに回動すると、鍵の後方側端部が回動部材６４に接触しなくなるため、演奏者が鍵から指を離しても発音体３０の振動がダンパフェルト２６により抑えられることがない。
【００４９】
次に、演奏者がソフトペダル１２Ｂを踏むと、図１５に示したようにペダル連結棒１３Ｂが上方向に移動し、ペダル連結棒１３Ｂに接しているアーム部１１０ａがペダル連結棒１３Ｂにより持ち上げられる。アーム部１１０ａが持ち上げられると、アーム部１１０ａが取り付けられているリフティングアーム１００が図１４に示した状態からヒンジ１２０の芯棒を中心にして反時計方向に回動し、キャプスタンスクリュー１１１が貫通穴１５ｂ内に挿入される。キャプスタンスクリュー１１１が貫通穴１５ｂに挿入されると、キャプスタンスクリュー１１１が突出部１３１を上方に押し上げ、これによりリフティングバー１３０の上面が筬１５の上面から突出する。筬１５の上面から突出したリフティングバー１３０はバックフェルトとともに全ての鍵の後端部を上方に押し上げる。
【００５０】
鍵の後端部が押し上げられると、アクション機構２０が動作してハンマシャンク２３が反時計回りに回動し、ソフトペダル１２Ｂが踏まれていない状態と比較して、ハンマフェルト２４の待機位置が発音体３０に近づき、ハンマフェルト２４と発音体３０の距離が近くなる。ハンマフェルト２４と発音体３０との距離が近づくと、鍵を押す力に対してハンマフェルト２４の加速が減るため、ソフトペダル１２Ｂを踏んでいない状態と比較して、発音体３０が打撃されたときに生じる音の音量が小さくなる。
なお、ソフトペダル１２Ｂは、踏み込んだ後で左方向にずらすことにより踏み込んだ状態を保持することが可能となっている。図１７は、図１（ｃ）のペダル部分を拡大した図である。図１７の上側に示したソフトペダル１２Ｂが踏み込まれていない状態からソフトペダル１２Ｂを踏み込んで図１７の下側に示したようにソフトペダル１２Ｂを左方向へずらすと、踏み込んだ状態が保持され、ソフトペダル１２Ｂから足を離しても鍵の後端部が押し上げられたままとなり、発音体３０からの音の音量がソフトペダル１２Ｂを踏んでいない状態と比較して小さいままとなる。
【００５１】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００５２】
上述した鍵盤の後端部を持ち上げる構成は、例えば、鍵盤式のグロッケンシュピールなど、他の楽器に設けるようにしてもよい。
【図面の簡単な説明】
【００５３】
【図１】本発明の一実施形態に係る鍵盤式打楽器の背面図、左側面図、正面図、右側面図である。
【図２】同鍵盤式打楽器１０の内部の概略図である。
【図３】同鍵盤式打楽器１０の内部の上部を前方から見た図である。
【図４】同鍵盤式打楽器１０の内部の平面図である。
【図５】音源ユニットＵＮＴの正面図である。
【図６】図５のＡ−Ａ線断面図である。
【図７】音源ユニットＵＮＴの底面図である。
【図８】発音体３０の正面図および側面図である。
【図９】留め具４０の側面図および部分拡大図、高音域部に属する発音体３０の側面図、中音域部に属する発音体３０の側面図、および低音域部に属する発音体３０の側面図である。
【図１０】図６に示した中音域部の部分拡大図である。
【図１１】支持紐４４の外観図である。
【図１２】図１０のＢ−Ｂ線断面図である。
【図１３】棚板１４および筬１５の後方側と、全ての鍵の後端部を上下させる各部材の斜視図である。
【図１４】図２中の鍵の後端部付近を拡大した図である。
【図１５】ソフトペダル１２Ｂが踏まれた時における鍵の後端部付近を拡大した図である。
【図１６】筬１５を前方に引き出したときの鍵の後端部付近を拡大した図である。
【図１７】ソフトペダル１２Ｂ近傍を拡大した図である。
【符号の説明】
【００５４】
ＫＢ・・・鍵盤、ＵＮＴ・・・音源ユニット、Ｄ・・・ダンパ機構、１０・・・鍵盤式打楽器、１１・・・ペダルボックス、１２Ａ・・・ダンパペダル、１２Ｂ・・・ソフトペダル、１３Ａ，１３Ｂ・・・ペダル連結棒、１４・・・棚板、１４ａ・・・放音用穴、１５・・・筬、１６・・・筬前、２０・・・アクション機構、２３・・・ハンマシャンク、２４・・・ハンマフェルト、２７・・・白鍵、２８・・・黒鍵、３０・・・発音体、４４・・・支持紐、５０・・・共鳴箱、６０・・・ポート形成部材、６２，６３・・・バランスピン、６４・・・回動部材、１００・・・リフティングアーム、１１０・・・アーム部材、１１１・・・キャプスタンスクリュー、１２０・・・ヒンジ、１３０・・・リフティングバー、１３１・・・突出部、１４０・・・バックフェルト
【図３】
2008170699.tif 000003
【図４】
2008170699.tif 000004
【図５】
2008170699.tif 000005
【図６】
2008170699.tif 000006
【図７】
2008170699.tif 000007
【図８】
2008170699.tif 000008
【図９】
2008170699.tif 000009
【図１０】
2008170699.tif 000010
【図１１】
2008170699.tif 000011
【図１２】
2008170699.tif 000012
【図１３】
2008170699.tif 000013
【図１４】
2008170699.tif 000014
【図１５】
2008170699.tif 000015
【図１６】
2008170699.tif 000016
【図１７】
2008170699.tif 000017
【図１】
2008170699.tif 000018
【図２】
2008170699.tif 000019